(57)【特許請求の範囲】
【請求項１】
利用者を識別する利用者識別機能を備える電子装置であって、
前記電子装置の利用者が所持している電子機器との間で無線交信を行うとともに、無線交信により電子機器から利用者の個人情報を取得する無線交信手段と、
前記無線交信の結果に基づき、前記電子装置を利用可能な複数の利用者が存在すると判断した場合には、前記複数の利用者の中から前記電子装置の利用者である確率が最も高い利用者を前記電子装置の利用者として自動的に選択する利用者選択手段と、
前記利用者選択手段により選択された利用者の個人情報に基づき、その利用者に見合った、前記電子装置のカスタマイズ動作設定を行う設定手段とを備えることを特徴とする利用者識別機能を備える電子装置。
【請求項２】
請求項１に記載の利用者識別機能を備える電子装置において、
前記無線交信手段は、電波信号を用いて相手の電子機器と交信するとともに、電波信号の送信出力レベルを限定し、前記電子装置の無線交信範囲を前記電子装置から所定距離範囲内に制限することを特徴とする利用者識別機能を備える電子装置。
【請求項３】
請求項１に記載の利用者識別機能を備える電子装置において、
前記無線交信手段は、前記電子装置を利用者が使用する場合に該電子装置に対し利用者が存在する確率が高い方向に強い無線交信の指向性を有することを特徴とする利用者識別機能を備える電子装置。
【請求項４】
請求項３に記載の利用者識別機能を備える電子装置において、
前記電子装置は撮影光学系を備えた撮影装置であるとともに、
前記無線交信手段は、前記撮影光学系の光軸に沿った方向で撮影対象とは反対側の方向に高い無線交信の指向性を有することを特徴とする利用者識別機能を備える電子装置。
【請求項５】
請求項１に記載の利用者識別機能を備える電子装置において、
前記利用者選択手段は、無線交信が成立した電子機器の利用者が予め前記電子装置に登録された利用者である場合に、該利用者が前記電子装置を利用可能であると判断することを特徴とする利用者識別機能を備える電子装置。
【請求項６】
請求項１に記載の利用者識別機能を備える電子装置において、
前記利用者選択手段は、前記電子装置と前記電子機器の間の距離の相違に基づき、前記電子装置を利用可能な複数の利用者の中から、前記電子装置に最も近い電子機器の利用者を前記電子装置の利用者として選択することを特徴とする利用者識別機能を備える電子装置。
【請求項７】
請求項６に記載の利用者識別機能を備える電子装置において、
前記利用者選択手段は、前記電子装置が無線交信範囲を複数の大きさに変更して前記電子機器と交信を試みることにより前記電子装置の利用者を選択することを特徴とする利用者識別機能を備える電子装置。
【請求項８】
請求項７に記載の利用者識別機能を備える電子装置において、
前記利用者選択手段は、前記無線交信手段の無線送信信号の出力レベルを徐々に増大させながら前記電子機器との交信を行うことにより、該電子機器の利用者が前記電子装置を利用可能な利用者であるか確認していくとともに、最初に見つかった前記電子装置を利用可能な利用者を前記電子装置の利用者として選択することを特徴とする利用者識別機能を備える電子装置。
【請求項９】
請求項６に記載の利用者識別機能を備える電子装置において、
前記利用者選択手段は、前記電子装置が送信する無線送信信号を前記電子機器が受信する際の出力レベルに基づいて前記電子装置の利用者を選択することを特徴とする利用者識別機能を備える電子装置。
【請求項１０】
請求項９に記載の利用者識別機能を備える電子装置において、前記利用者選択手段は、前記無線交信手段の無線送信信号の出力レベルを一定にして前記電子機器との交信を行い、前記電子機器より前記無線送信信号を受信した際の出力レベルデータを送り返してもらうとともに、前記電子装置を利用可能な利用者の所持する前記電子機器より送り返された出力レベルデータ中で最大の出力レベルデータを送り返した電子機器の利用者を前記電子装置の利用者として選択することを特徴とする利用者識別機能を備える電子装置。
【請求項１１】
請求項６に記載の利用者識別機能を備える電子装置において、前記利用者選択手段は、前記電子機器が送信する無線送信信号の減衰率に基づいて前記電子装置の利用者を選択することを特徴とする利用者識別機能を備える電子装置。
【請求項１２】
請求項１１に記載の利用者識別機能を備える電子装置において、前記利用者選択手段は、前記無線交信手段により前記電子装置を利用可能な利用者の所持する前記電子機器から前記電子機器の無線送信信号の出力レベルデータを受け取るとともに、前記電子装置を利用可能な利用者の所持する前記電子機器から送信される無線送信信号を受信した際の出力レベルを検出するとともに、前記出力レベルデータと前記検出した出力レベルにより前記電子機器の無線送信信号の減衰率を算出し、前記電子装置を利用可能な利用者の所持する前記電子機器の中で最も無線送信信号の減衰率が小さい電子機器の利用者を前記電子装置の利用者として選択することを特徴とする利用者識別機能を備える電子装置。
【請求項１３】
請求項６に記載の利用者識別機能を備える電子装置において、前記利用者選択手段は、前記電子装置と前記電子装置の利用可能な利用者が所持する電子機器との間の距離を検出するとともに、検出した距離に基づいて前記電子装置の利用者を選択することを特徴とする利用者識別機能を備える電子装置。
【請求項１４】
請求項１３に記載の利用者識別機能を備える電子装置において、前記電子装置と前記電子機器は自分自身の位置データを測定する測位手段をさらに備えるとともに、
前記利用者選択手段は、前記無線交信手段により前記電子装置を利用可能な利用者の所持する前記電子機器からその位置データを受信するとともに、前記測位手段で測定した電子装置の位置データと前記電子機器から受信した位置データに基づき、前記電子装置と各電子機器との間の距離データを算出するとともに、前記距離データが最小となる前記電子機器の利用者を前記電子装置の利用者として選択することを特徴とする利用者識別機能を備える電子装置。
【請求項１５】
請求項１に記載の利用者識別機能を備える電子装置において、前記利用者選択手段は、予め定められた利用者の優先順位に基づき、前記電子装置を利用可能な複数の利用者の中から、最も優先順位の高い利用者を前記電子装置の利用者として選択することを特徴とする利用者識別機能を備える電子装置。
【請求項１６】
請求項１に記載の利用者識別機能を備える電子装置において、前記電子装置は、該電子装置の利用者毎に最後に利用した時刻を記憶する記憶手段を備えるとともに、
前記利用者選択手段は、前記記憶手段に記憶された利用者毎の最終利用時刻に基づき、前記電子装置を利用可能な複数の利用者の中から、最も最近前記電子装置を使用した利用者を前記電子装置の利用者として選択することを特徴とする利用者識別機能を備える電子装置。
【請求項１７】
請求項１に記載の利用者識別機能を備える電子装置において、前記電子装置の利用者により操作される操作部材と、
前記操作部材が操作された際に、前記無線交信手段と前記利用者選択手段による利用者識別動作を行わせる制御手段とをさらに備えることを特徴とする利用者識別機能を備える電子装置。
【請求項１８】
請求項１７に記載の利用者識別機能を備える電子装置において、前記操作部材は前記電子装置に電源を投入するために操作される電源投入操作部材であり、
前記制御手段は前記電源投入操作部材が操作され前記電子装置に電源が投入された際に、前記無線交信手段と前記利用者選択手段による利用者識別動作を行わせることを特徴とする利用者識別機能を備える電子装置。
【請求項１９】
請求項１に記載の利用者識別機能を備える電子装置において、前記電子装置に対する利用者の接触を検出する接触検出手段と、
前記接触検出手段により利用者の接触が検出された際に、前記無線交信手段と前記利用者選択手段による利用者識別動作を行わせる制御手段とをさらに備えることを特徴とする利用者識別機能を備える電子装置。
【請求項２０】
請求項１９に記載の利用者識別機能を備える電子装置において、前記電子装置は利用者が該電子装置を使用する際に利用者が手で保持する保持部を備え、
前記接触検出手段は前記保持部の近傍に配置されることを特徴とする利用者識別機能を備える電子装置。
【請求項２１】
請求項１に記載の利用者識別機能を備える電子装置において、一定の時間周期で前記無線交信手段と前記利用者選択手段による利用者識別動作を行わせる制御手段とをさらに備えることを特徴とする利用者識別機能を備える電子装置。
【請求項２２】
請求項１に記載の利用者識別機能を備える電子装置において、前記利用者が前記電子装置の近傍では前記電子装置の操作を行わない動作モードに前記電子装置が設定された場合には、前記無線交信手段と前記利用者選択手段による利用者識別動作を禁止する制御手段とをさらに備えることを特徴とする利用者識別機能を備える電子装置。
【請求項２３】
請求項１に記載の利用者識別機能を備える電子装置において、前記電子機器は操作部材を備え、
前記電子機器は前記操作部材が利用者により操作された場合に、前記電子装置に前記操作部材が利用者により操作された旨を無線交信により前記電子装置の前記無線交信手段に通知するとともに、
前記無線交信手段が前記電子機器から前記操作部材が利用者により操作された旨を受信した場合に、前記無線交信手段と前記利用者選択手段による利用者識別動作を行わせる制御手段とをさらに備えることを特徴とする利用者識別機能を備える電子装置。
【請求項２４】
請求項１に記載の利用者識別機能を備える電子装置において、前記無線交信手段と前記利用者選択手段による利用者識別動作を許可するモードと、前記無線交信手段と前記利用者選択手段による利用者識別動作を禁止するモードとを切換える切換手段をさらに備えることを特徴とする利用者識別機能を備える電子装置。
【請求項２５】
請求項１に記載の利用者識別機能を備える電子装置において、前記電子装置は、前記電子装置をリモートコントロールするためのリモコン部を備えており、
前記無線交信手段と前記利用者選択手段は前記リモコン部に内蔵されることを特徴とする利用者識別機能を備える電子装置。
【請求項２６】
請求項１に記載の利用者識別機能を備える電子装置において、前記利用者選択手段は前記電子装置を利用可能な利用者が見つからなかった場合には、予め設定されたデフォルト利用者を利用者として選択することを特徴とする利用者識別機能を備える電子装置。
【請求項２７】
請求項１に記載の利用者識別機能を備える電子装置において、前記電子装置は操作部材を備えるとともに、
前記設定手段は、前記操作部材が利用者により操作された場合に、前記利用者選択手段により選択された利用者の個人情報に基づき前記電子装置の動作設定を初期化することを特徴とする利用者識別機能を備える電子装置。
【請求項２８】
請求項１に記載の利用者識別機能を備える電子装置において、前記電子装置の利用者を手動で変更するマニュアル利用者変更手段をさらに備えることを特徴とする利用者識別機能を備える電子装置。
【請求項２９】
請求項１に記載の利用者識別機能を備える電子装置において、表示手段と、
前記利用者選択手段により自動的に選択された利用者を前記表示手段に表示させる制御手段とをさらに備えることを特徴とする利用者識別機能を備える電子装置。
【請求項３０】
請求項１に記載の利用者識別機能を備える電子装置において、前記利用者選択手段により選択された利用者に対して利用者として選択された旨を通知するために、前記利用者が所持している電子機器に通知を行う通知手段をさらに備えることを特徴とする利用者識別機能を備える電子装置。
【請求項３１】
請求項１に記載の利用者識別機能を備える電子装置において、前記電子装置は、該電子装置を最後に使用した利用者を記憶する記憶手段と、
前記利用者選択手段により選択された利用者と、前記記憶手段に記憶された利用者が異なる場合には、その旨を告知する告知手段とを備えることを特徴とする利用者識別機能を備える電子装置。
【請求項３２】
請求項１に記載の利用者識別機能を備える電子装置において、前記電子装置の利用者の身体的な特徴情報を検出する利用者特徴検出手段をさらに備え、
前記利用者選択手段は前記電子機器から無線交信により受信した利用者の特徴情報と、前記利用者特徴検出手段により検出した利用者の身体的な特徴情報とが一致する利用者を前記電子装置の利用者として選択することを特徴とする利用者識別機能を備える電子装置。
【請求項３３】
請求項１に記載の利用者識別機能を備える電子装置において、表示手段を備えるとともに、
前記設定手段は前記利用者選択手段により選択された利用者の一般的な個人情報に基づき利用者の前記電子装置に関する習熟度を間接的に判断し、該習熟度に応じて前記表示手段の表示設定を行うことを特徴とする利用者識別機能を備える電子装置。
【請求項３４】
請求項３３に記載の利用者識別機能を備える電子装置において、
前記表示設定は前記表示手段に表示する文字の大きさまたは表現の形態であることを特徴とする利用者識別機能を備える電子装置。
【請求項３５】
請求項１に記載の利用者識別機能を備える電子装置において、表示手段を備えるとともに、
前記設定手段は前記利用者選択手段により選択された利用者の年齢情報に基づき利用者の前記電子装置に関する習熟度を間接的に判断し、該習熟度に応じて前記表示手段の表示設定または前記電子装置の動作設定を変更することを特徴とする利用者識別機能を備える電子装置。
【請求項３６】
請求項１に記載の利用者識別機能を備える電子装置において、
表示手段を備えるとともに、
前記設定手段は前記利用者選択手段により選択された利用者の視力に関する個人情報に基づき、前記表示手段に表示する文字の大きさを変更することを特徴とする利用者識別機能を備える電子装置。
【請求項３７】
請求項１に記載の利用者識別機能を備える電子装置において、前記電子装置は被写体を撮影するための撮影装置であり、
前記被写体を観察するためのファインダと、
前記ファインダの視度を調整する視度調整手段とをさらに備え、
前記設定手段は前記利用者選択手段により選択された利用者の視度に関する個人情報に基づき、前記ファインダの視度を前記視度調整手段により自動的に調整することを特徴とする利用者識別機能を備える電子装置。
【請求項３８】
請求項１に記載の利用者識別機能を備える電子装置において、前記電子機器は利用者の体内に埋め込まれるかまたは体表面に密着して装着され、利用者の体内を通る電流または電波により利用者に接触している電子装置と無線交信することが可能であり、
前記電子装置は利用者が該電子装置を使用する際に利用者が手で保持する保持部を備え、
前記無線交信手段は、前記保持部を保持した利用者の手を通じて前記電子機器と通信を行うことを特徴とする利用者識別機能を備える電子装置。
【請求項３９】
利用者を識別する利用者識別機能を備える電子装置であって、前記電子装置の周囲の電子機器との間で無線交信を行う無線交信手段と、
前記無線交信が成立した電子機器の中から前記電子装置の操作者以外の利用者が所持している電子機器を選択するとともに、前記無線交信手段により前記選択された電子機器から利用者の個人情報を取得する利用者選択手段と、
前記利用者選択手段により取得された利用者の個人情報に基づき、その利用者に見合った、前記電子装置のカスタマイズ動作制御を行う制御手段とを備えることを特徴とする利用者識別機能を備える電子装置。
【請求項４０】
請求項３９に記載の利用者識別機能を備える電子装置において、前記電子装置は撮影により画像データを生成する撮影装置であり、
個人情報は利用者の瞳の色に関する情報であり、
撮影時に撮影対象者となる利用者を閃光照明する閃光手段を備えるとともに、
前記制御手段は前記閃光手段を用いて前記利用者を撮影した画像データに生じた利用者の赤目部分を抽出するとともに、前記赤目部分を前記瞳の色に関する情報に応じた色で修復することを特徴とする利用者識別機能を備える電子装置。
【請求項４１】
請求項３９に記載の利用者識別機能を備える電子装置において、前記電子装置は撮影を行う撮影装置であって、撮影時に撮影対象者となる利用者を閃光照明する閃光手段を備える撮影装置であるとともに、
前記個人情報は前記閃光手段を用いて撮影を行う閃光撮影時に、撮影された画像において利用者の目が赤目となりやすいか否かを表す情報であり、
前記制御手段は前記個人情報に基づき、利用者が赤目になりやすいと判断した場合には、前記閃光撮影に先立って前記閃光手段により前記利用者に閃光照明を行い、前記利用者の瞳孔を収縮させさせることにより、閃光撮影した画像において利用者の目が赤目になりにくくすることを特徴とする利用者識別機能を備える電子装置。
【請求項４２】
請求項３９に記載の利用者識別機能を備える電子装置において、前記電子装置は撮影により画像を生成する撮影装置であって、撮影対象者となる利用者を照明する閃光手段と照明手段を備える撮影装置であるとともに、
前記個人情報は前記閃光手段を用いて撮影を行う閃光撮影時に、撮影された画像において利用者の目が赤目となりやすいか否かを表す情報であり、
前記制御手段は前記個人情報に基づき、利用者が赤目になりやすいと判断した場合には、前記閃光撮影に先立って前記照明手段により前記利用者に照明を行い、前記利用者の瞳孔を収縮させることにより、閃光撮影した画像において利用者の目が赤目になりにくくするを特徴とする利用者識別機能を備える電子装置。
【請求項４３】
利用者を識別する利用者識別機能を備える電子装置であって、表示手段と、
前記電子装置の利用者が所持している電子機器との間で無線交信を行うとともに、無線交信により電子機器から利用者の個人情報を取得する無線交信手段と、
前記無線交信の結果に基づき、前記電子装置を利用可能な複数の利用者が存在すると判断した場合には、前記複数の利用者を前記表示手段に表示させる制御手段と、
前記表示手段に表示された複数の利用者の中から一人の利用者をマニュアルで選択するマニュアル利用者選択手段と、
前記マニュアル利用者選択手段により選択された利用者の個人情報に基づき、その利用者に見合った、前記電子装置のカスタマイズ動作設定を行う設定手段とを備えることを特徴とする利用者識別機能
を備える電子装置。
【請求項４４】
利用者を識別する利用者識別機能を備える電子装置であって、前記電子装置の利用者が所持している電子機器との間で無線交信を行うとともに、無線交信により電子機器から利用者の個人情報を取得する無線交信手段と、
前記無線交信手段に無線送信信号の出力レベルを徐々に増大させながら前記電子機器との無線交信を行わせ、該電子機器の利用者が前記電子装置を利用可能な利用者であるか確認していくとともに、最初に見つかった前記電子装置を利用可能な利用者を前記電子装置の利用者として選択する利用者選択手段と、
前記利用者選択手段により選択された利用者の個人情報に基づき、その利用者に見合った、前記電子装置のカスタマイズ動作設定を行う設定手段とを備えることを特徴とする利用者識別機能を備える電子装置。
【請求項４５】
利用者により利用される電子装置が、利用者が所持している電子機器であって該利用者に関する情報を記憶した電子機器との間で無線により交信を行うことにより、前記電子装置の利用者を識別する識別方法において、
前記電子装置が前記電子装置の周囲に存在する前記電子機器と無線交信を実行する無線交信ステップと、
前記無線交信ステップの結果、前記電子装置が前記電子装置の利用者となりうる利用者が単数であると判断した場合には、該利用者を前記電子装置の利用者として選択する第１識別ステップと、
前記無線交信ステップの結果、前記電子装置が前記電子装置の利用者となりうる利用者が複数であると判断した場合には、前記電子装置の利用者である確率が最も高い利用者を前記電子装置の利用者として自動的に選択する第２識別ステップと、
前記第２識別ステップによって選択された前記利用者に見合った、前記電子装置のカスタマイズ動作設定を行なう動作設定ステップと、からなることを特徴とする利用者の識別方法。
【請求項４６】
利用者により利用される電子装置が、利用者の所持している電子機器であって該利用者に関する情報を記憶した電子機器との間で無線により交信を行うことにより、前記電子装置が前記電子装置の利用者を識別する利用者識別方法において、
前記電子装置が前記電子装置の周囲に存在する前記電子機器に対し無線送信信号の出力レベルを徐々の増大させながら無線交信を行い、前記電子装置の利用者となりうる利用者を探索する探索ステップと、
前記探索ステップの結果、前記電子装置が最初に見つけた前記電子装置の利用者となりうる利用者を該電子装置の利用者として選択する識別ステップと、
前記識別ステップによって選択された前記利用者に見合った、前記電子装置のカスタマイズ動作設定を行なう動作設定ステップとからなることを特徴とする利用者の識別方法。
【請求項４７】
利用者により利用される電子装置が、利用者の所持している電子機器であって該利用者に関する情報を記憶した電子機器との間で無線により交信を行うことにより、前記電子装置の利用者を識別する識別方法において、前記電子装置が前記電子装置の周囲に存在する前記電子機器と無線交信を実行する無線交信ステップと、
前記無線交信ステップの結果に基づき、前記電子装置が前記電子装置の利用者である確率が最も高い利用者を前記電子装置の利用者として自動的に選択する識別ステップと、
前記電子装置が選択した利用者の所持する電子機器に、前記利用者を選択した旨を無線交信により通知する通知ステップと、
前記通知を受信した電子機器が該電子機器を所持する利用者に、該利用者が前記電子装置に利用者として選択された旨を報知する報知ステップと、
前記識別ステップによって選択された前記利用者に見合った、前記電子装置のカスタマイズ動作設定を行なう動作設定ステップとからなることを特徴とする利用者の識別方法。
【請求項４８】
非接触ＩＣカード読み取り機能を備え、利用者により利用される電子装置が、利用者の所持している非接触ＩＣカードであって該利用者に関する情報を記憶した非接触ＩＣカードとの間で無線により交信を行うことにより、前記電子装置の利用者を識別する利用者の識別方法において、
前記電子装置が前記電子装置の周囲に存在する前記非接触ＩＣカードと無線交信を実行する無線交信ステップと、
前記無線交信ステップの結果、前記電子装置が前記電子装置の利用者となりうる利用者が単数であると判断した場合には、該利用者を前記電子装置の利用者として選択する第１識別ステップと、
前記無線交信ステップの結果、前記電子装置が前記電子装置の利用者となりうる利用者が複数であると判断した場合には、前記電子装置の利用者である確率が最も高い利用者を前記電子装置の利用者として自動的に選択する第２識別ステップと、
前記第1もしくは第２の識別ステップによって選択された前記利用者に見合った、前記電子装置のカスタマイズ動作設定を行なう動作設定ステップとからなることを特徴とする利用者の識別方法。
【請求項４９】
利用者の所持している電子機器が、利用者により利用される電子装置との間で無線により交信を行うことにより、前記利用者が利用する電子装置を識別する識別方法において、
利用者が所持している前記電子機器が前記電子機器の周囲に存在する前記電子装置と無線交信を実行する無線交信ステップと、
前記無線交信ステップの結果、前記電子機器が前記電子機器を所持している利用者が利用可能な電子装置が単数であると判断した場合には、該電子装置を前記利用者の利用対象となる電子装置として選択する第１識別ステップと、
前記無線交信ステップの結果、前記電子機器が前記電子機器を所持している利用者が利用可能な電子装置が複数であると判断した場合には、前記利用者の利用対象である確率が最も高い電子装置を前記利用者の利用対象となる電子装置として自動的に選択する第２識別ステップと、
前記第１もしくは第2識別ステップによって選択された前記利用者に見合った、前記電子装置のカスタマイズ動作設定を行なう動作設定ステップとからなることを特徴とする電子装置の識別方法。
【請求項５０】
利用者の所持している電子機器が、利用者により利用される電子装置との間で無線により交信を行うことにより、前記利用者が利用する電子装置を識別する識別方法において、
利用者が所持している前記電子機器が前記電子機器の周囲に存在する前記電子装置と無線交信を実行する無線交信ステップと、
前記無線交信ステップの結果に基づいて、前記電子機器が前記利用者の利用対象である確率が最も高い電子装置を前記利用者の利用対象となる電子装置として自動的に選択する識別ステップと、
前記電子機器から前記識別ステップにより選択された電子装置に対し、前記利用者が前記選択された電子装置を利用する旨を通知する通知ステップと、
前記識別ステップによって選択された前記利用者に見合った、前記電子装置のカスタマイズ動作設定を行なう動作設定ステップとからなることを特徴とする電子装置の識別方法。
【発明の詳細な説明】
【０００１】
【発明の属する技術分野】
本発明は、利用者を識別し、利用者に応じた動作を行う電子装置および電子装置の利用者や利用者が利用する電子装置を識別する方法に関し、特に電子装置と利用者の間で交信を行うことにより利用者の識別を行う電子装置および電子装置の利用者や利用者が利用する電子装置を識別する方法に関するものである。
【０００２】
【従来の技術】
カメラ等の電子装置において、電子装置の利用者（ユーザ）を特定し、ユーザに応じた動作を行う電子装置が知られている。例えば特開平１１−１６４２８２号公報には、デジタルカメラがカード読み取り部を備え、ユーザは個人情報を該カード読み取り部からデジタルカメラに入力し、デジタルカメラは入力された個人情報に応じそのユーザに対応するデータサーバに自動接続し、そのデジタルカメラで撮影した画像データを該データサーバに自動転送するデジタルカメラが開示されている。
【０００３】
【発明が解決しようとする課題】
上記のような従来の電子装置においては、個人情報を読み込ませるために、個人情報を格納した磁気カードやメモリカードを直接電子装置に装着したり、有線で電子装置と磁気カードやメモリカードを接続する必要があった。
【０００４】
しかしながら、電子装置を使用する度に磁気カードやメモリカードを直接電子装置に装着したり、有線で電子装置と磁気カードやメモリカードを接続することは、ユーザにとって負担となるばかりでなく突発的な状況において電子装置を緊急に使用することができないという欠点があった。たとえばデジタルカメラにおいて、個人情報の設定をしている間にシャッターチャンスを逃す場合等があった。
【０００５】
そこで本発明は、電子装置の利用者識別をユーザの負担なしに迅速に行なうために無線方式で行うとともに、無線方式で利用者識別を行う場合にユーザ以外をユーザとして誤識別することを効率よく防止できる利用者識別機能を備えた電子装置および利用者の識別方法を提供することを目的とする。
【０００６】
また本発明はユーザが利用しようとする電子装置の識別をユーザの負担なしに迅速に行なうために無線方式で行うとともに、無線方式で電子装置の識別を行う場合に利用対象となる電子装置以外の電子装置を誤識別することを効率よく防止できる電子装置の識別方法を提供することを目的とする。
【０００７】
また上記のような従来の電子装置においては、個人情報の使い道が画像の送信先の自動選択などに限定されていたため、個人情報が充分に電子装置の設定・表示動作に反映されておらず、ユーザが使い勝手上の不満を抱く場合があった。特に電子装置を使い慣れていない初心者や老人や未成年者に対する配慮が欠けていた。
【０００８】
そこで本発明は、電子装置に利用者識別させるために特別なデータ入力や登録設定が不要で、かつベテランユーザと初心者、老人、未成年者が同時に快適に使用できる利用者識別機能を備えた電子装置を提供することを目的とする。
【０００９】
【課題を解決するための手段】
上記目的を達成するため、本発明による利用者識別機能を備える電子装置または識別方法においては、電子装置とユーザの個人情報を記憶した電子機器が無線により交信を行うことにより、電子装置が自動的に該電子装置の利用者を識別することを特徴とする。また電子装置が利用者となりうる複数のユーザを識別した場合には、電子装置が所定の利用者識別処理に基づいて自動的に利用者を選択することを特徴とする。
【００１０】
上記目的を達成するため、本発明による電子装置の識別方法においては、電子装置とユーザが所持している電子機器が無線により交信を行うことにより、電子機器が自動的に利用対象となる電子装置を識別することを特徴とする。また電子装置が利用対象となりうる複数の電子装置を識別した場合には、電子機器が所定の識別処理に基づいて自動的に電子装置を選択することを特徴とする。
【００１１】
また上記目的を達成するため、本発明による利用者識別機能を備える電子装置または識別方法においては、電子装置と該電子装置以外にも一般的に用いられる個人情報を記憶した電子機器が無線により交信を行うことにより電子装置側に前記個人情報を転送し、電子装置は該一般的に用いられる個人情報に基づき利用者を類型化するとともに、該類型化に基づき自動的に電子装置の種々の動作設定を行うことを特徴とする。
【００１２】
【発明の実施の形態】
以下、図面を参照して本発明の実施形態について説明する。図１は本発明を適用した電子カメラと該電子カメラを利用した電子画像通信システムの概念図である。図１において、電子カメラ１００はメモリカードを備え、撮影した電子画像データまたはデジタル画像データ（以下画像データと呼ぶ）をメモリカードに保存する。また電子カメラ１００は近距離無線通信機能（例えば交信可能範囲が半径１０ｍ程度のブルーツース）を備え、同じく近距離無線通信機能を備えた携帯電話１６０と交信する。この携帯電話１６０は電子カメラ１００のユーザが所持していることが想定されており、この携帯電話１６０にはユーザの個人情報（利用者情報）が格納されたＵＩＭカード（Ｕｓｅｒ  Ｉｄｅｎｔｉｆｙ  Ｍｏｄｕｌｅ  カード）１７０が装着される。
【００１３】
電子カメラ１００とユーザが所持している携帯電話１６０の交信により、ユーザの個人情報が電子カメラ１００に転送され、電子カメラ１００は転送された個人情報に応じて電子カメラ１００を特定ユーザ用にセットアップする。また電子カメラ１００で撮影された画像データは、電子カメラ１００より携帯電話１６０に転送され、無線携帯電話回線１９０により無線基地局１２０を経由し有線または無線の一般公衆電話回線またはインターネット１３０により個人使用のパソコン１４０や画像データベース１５０に転送される。
【００１４】
図２、図３は、図１に示した電子カメラ１００の一実施形態の外観図（正面視および背面視）である。図２に示すように電子カメラ１００の前面には被写体像を形成するための撮影レンズ１０、撮影画面を確認するためのファインダ１１、撮影時に被写体を照明するためのストロボ１２、被写体の明るさを検知するための測光回路１３、電子カメラ１００を手でホールドするためにカメラ本体から出っ張ったグリップ部１４が備えられ、上面には撮影開始を指示するためのレリーズボタン１６、電子カメラ１００の電源のＯＮ／ＯＦＦ制御を行うための電源スイッチ１７（モーメンタリーなスイッチであり、操作毎にＯＮとＯＦＦが切り替わる）が備えられる。
【００１５】
図３に示すように、電子カメラ１００の背面にはファインダ１１の接眼部、電子カメラ１００のユーザ識別モードを選択するために回転可能なモードダイヤル１９（ユーザを登録するための登録モードとユーザを自動識別するための自動モードとユーザを固定するための固定モードがある）とモードダイヤル１９の設定位置を指示するためのドット２０、テキストおよび画像表示用の略四角形の画面を備えた左ＬＣＤ（左画面）２１とテキスト表示用および画像表示用の略四角形の画面を備えた右ＬＣＤ（右画面）２２が配置され、左ＬＣＤ２１の左側近傍には左画面２１に表示される画像を切り換えるための上方向ボタン２３と下方向ボタン２４、右ＬＣＤ２２と左ＬＣＤ２１の下側には電子カメラ１００の各種動作設定を行うための設定ボタン２５、画像データの外部への送信を指示するための送信ボタン２６、ユーザ設定や選択項目の決定のために用いられる決定ボタン２７、電子カメラ１００の各種動作設定の初期化を行うためのイニシャライズボタン２９が備えられ、左ＬＣＤ２１の上にはメモリカード１０４に保存されている画像データを左ＬＣＤ２１に再生表示する再生モードと画像データの撮影を行う撮影モードを選択するための撮影／再生ボタン２８（操作毎に撮影モードと再生モードが切り替わる）が配置されている。側面にはメモリカード１０４を装着するためのメモリカードスロット３０が備えられる。
【００１６】
なおレリーズボタン１６、モードダイヤル１９、上方向ボタン２３、下方向ボタン２４、設定ボタン２５、送信ボタン２６、決定ボタン２７、撮影／再生ボタン２８、イニシャライズボタン２９は全てユーザーによって操作される操作キーである。
【００１７】
なお左ＬＣＤ２１および右ＬＣＤ２２の表面上には、指の接触操作により指示された位置に対応する位置データを出力する機能を備えたいわゆるタッチタブレット６６が配置され、画面上に表示された選択項目や画像データの選択に用いることができる。このタッチタブレット６６はガラス樹脂等の透明材料によって構成され、ユーザはタッチタブレット６６の内側に形成される画像やテキストを、タッチタブレット６６を通して観察することができる。
【００１８】
図４は、図２および図３に示した電子カメラ１００の内部の電気構成例を示すブロック図であって、各構成要素は各種情報データおよび制御データを伝送するためのデータ／制御バス５１を介して互いに接続されている。
各構成要素は大きく以下の５つのブロックに分類される。画像データの撮影動作を実行する撮影制御回路６０を中心とするブロック、外部との間で画像データの送信・受信を実行する無線送信回路７１、無線受信回路７２を中心とするブロック、画像データを記憶・保存するメモリカード１０４のブロック、画像データおよびその関連情報の表示を実行する画面制御回路９２を中心とするブロック、操作キー６５等のユーザーインターフェースと各制御回路に対する統括制御を行うＣＰＵ５０を中心とするブロックである。
【００１９】
ＣＰＵ５０（中央処理ユニット）は電子カメラ１００全体の制御を行う手段であって、操作キー６５、タッチタブレット６６、各種検出回路７０、電源スイッチ１７、タイマ７４、測光回路１３、ＧＰＳ回路６１、姿勢変化検出回路６２からの入力情報に応じて撮影制御回路６０、無線送信回路７１、無線受信回路７２、画面制御回路９２、電源制御回路６４への各種指示を行う。なお各種検出回路７０には後述するグリップセンサなどが含まれる。
【００２０】
測光回路１３は被写体の輝度を測定し、その測定結果である測光データをＣＰＵ５０に出力する。ＣＰＵ５０は測光データに応じて、ＣＣＤ５５の露光時間、感度をＣＣＤ駆動回路５６により設定するとともに、該設定データに応じて撮影制御回路６０を介し絞り５３の絞り値を絞り制御回路５４により制御する。ＣＰＵ５０は撮影モードではレリーズボタン１５の操作に応じて撮影制御回路６０を介し撮影動作を制御する。またＣＰＵ５０は測光データに基づき被写体が暗い場合には、撮影時にストロボ駆動回路７３を介しストロボ１２を発光させる。
【００２１】
ＧＰＳ回路６１（グローバルポジショニングシステム回路）は、地球の周りを周回している複数の衛星からの情報を用いて電子カメラ１００の位置情報を検出し、ＣＰＵ５０に供給する。画像撮影時には、ＣＰＵ５０はこの位置情報あるいは加工した位置情報（場所名、地名等）をメモリカード１０４に画像データとともに転送して記憶させる。
【００２２】
姿勢変化検出回路６２は、電子カメラ１００の姿勢変化を検出するために周知の姿勢センサなどから構成され、直前の撮影から今回の撮影までの姿勢変化量の情報をＣＰＵ５０に供給する。姿勢変化情報に基づき直前の撮影と今回の撮影との間に構図変更が行われた否かを判断することができる。ＣＰＵ５０はこの姿勢変化情報をメモリカード１０４に画像データとともに転送して記憶させる。
【００２３】
タイマ７４は時計回路を内蔵し、現在の時刻に対応する時間情報をＣＰＵ５０に供給する。ＣＰＵ５０は撮影時の時刻情報をメモリカード１０４に画像データとともに転送して記憶させる。ＣＰＵ５０は、ＲＯＭ６７（リードオンリメモリ）に記憶されている制御プログラムに従い各部を制御する。ＥＥＰＲＯＭ６８（電気的消去書き込み可能ＲＯＭ）は不揮発性のメモリであって、電子カメラ１００の動作に必要な個人情報や登録設定情報等を記憶している。ＣＰＵ５０は、電源スイッチ１７の操作状態を検知して、電源制御回路６４を介して電源６３の制御を行う。
【００２４】
撮影制御回路６０は、レンズ駆動回路５２により撮影レンズ１０のフォーカシング、ズーミングを行い、絞り制御回路５４により絞り５３を制御してＣＣＤ５５の露光量をコントロールし、ＣＣＤ駆動回路５６によりＣＣＤ５５の動作を制御する。被写体からの光束は撮影レンズ１０により光量調節のための絞り５３を介し、ＣＣＤ５５上に被写体像として形成され、この被写体像はＣＣＤ５５により撮像される。複数の画素を備えたＣＣＤ５５（チャージカップルドデバイス）は被写体像を撮像するための電荷蓄積型イメージセンサーであり、ＣＣＤ５５上に形成された被写体像の強度に応じた電気的な画像信号をＣＣＤ駆動回路５６により供給される駆動パルスに応じてアナログ処理部５７に出力する。
【００２５】
アナログ処理部５７はＣＣＤ５５が光電変換した画像信号を所定のタイミングでサンプリングし、そのサンプリングした信号を所定のレベルに増幅する。Ａ／Ｄ変換回路５８（アナログデジタル変換回路）は画像処理部５７でサンプリングした画像信号をデジタル化することによりデジタルデータに変換し、撮影バッファメモリ５９は該デジタルデータを一旦格納する。
【００２６】
撮影モードにおいては、撮影制御回路６０は上述の動作を繰り返すとともに、画面制御回路９２は撮影バッファメモリ５９に順次格納されるデジタルデータをデータ／制御バス５１を介して読み出してフレームメモリ６９に一旦格納し、該デジタルデータを表示用画像データに変換してフレームメモリ６９に再格納し、該表示用画像データを左画面２１に表示させるという動作を繰り返す。また画面制御回路９２は必要に応じてテキスト表示情報をＣＰＵ５０から入手し、表示用テキストデータに変換してフレームメモリ６９に格納し、該表示用テキストデータを左画面２１、右画面２２に表示させる。このようにして撮影モードにおいては、左画面２１にＣＣＤ５０により撮像されている画像がリアルタイムに表示されるので、このスルー画面をモニター画面として使用して撮影のための構図設定を行うことが可能になる。
【００２７】
撮影制御回路６０は撮影バッファメモリ５９に格納したデジタルデータの高周波成分の度合い解析して撮影レンズ１０の焦点調節状態を検出し、検出結果に応じてレンズ駆動回路５２により撮影レンズ１０の焦点調節を行う。撮影制御回路６０はＣＰＵ５０から撮影指示を受けると、ＣＣＤ駆動回路５６を介してＣＣＤ５５により被写体像を撮像させ、撮像により生成した画像信号をアナログ処理部５７、Ａ／Ｄ変換回路５８を介して撮影バッファメモリ５９にデジタルデータ（生データ）として一旦格納する。撮影制御回路６０は撮影バッファメモリ５９に一旦格納したデジタルデータを所定の記録フォーマット（ＪＰＥＧなど）に変換または圧縮して画像データを形成し、該画像データを撮影バッファメモリ５９に再格納する。撮影制御回路６０は撮影バッファメモリ５９に再格納した画像データを画像ファイルとしてメモリカード１０４に格納する。
【００２８】
再生モードにおいては、画面制御回路９２はメモリカード１０４からＣＰＵ５０に指示された画像ファイルを読み出してフレームメモリ６９に一旦格納し、該画像データを表示用画像データに変換してフレームメモリ６９に再格納し、該表示用画像データを左画面２１に表示する。
【００２９】
再生モードにおいて無線送信回路７１はＣＰＵ５０から送信指示を受けると、指定された画像ファイルをメモリカード１０４から読み出して、該画像ファイルを外部に無線送信出力する。無線送信回路７１、無線受信回路７２はユーザ識別時に外部の無線機器と交信を行い、交信結果をＣＰＵ５０に送る。
【００３０】
図５、図６はＥＥＰＲＯＭ６８内に保存されるユーザ登録情報のデータ構成を示す。図５に示すようにユーザ登録情報はユーザ別（図５ではユーザＡ、ユーザＢ、デフォルトユーザ、最新ユーザ）に構成される。デフォルトユーザはユーザ識別ができなかった場合のために設定された汎用ユーザであり、最新ユーザは電子カメラ１００を最後に使用したユーザに設定される。個別ユーザ情報はさらに識別データ（交信先の機器の個別識別データ）、個人情報データ（図６）、カメラデータ、優先順位データから構成される。カメラデータはさらにカメラ情報、通信情報、カスタム設定データ、最終時刻使用時刻データ、最終設定データから構成される。
【００３１】
個人情報データは図６に示すように、電子カメラ１００の設定とは無関係な一般的な個人情報データであり、この情報は多用途に利用することができる。したがって電子カメラ１００を使用するにあたって、この個人情報データを特別に設定する必要はない。この個人情報データは、個人の氏名、生年月日、使用言語、身体的データ（視力、視度、利き手）、嗜好（色など）、その他のデータから構成され、これらの個人情報を用いて電子カメラ１００を自動的にカスタマイズすることができる。
【００３２】
図７は本発明による電子カメラの実施形態の状態遷移図である。電源ＯＮ時に無線によるユーザ識別処理を行う。このユーザ識別処理では、交信動作と、カメラの設定動作を行う。電源ＯＮ時のユーザ識別処理を終了すると撮影モードに移行し、撮影動作とカメラの設定動作を行う。撮影／再生ボタン２８の操作に応じて撮影モードから再生モードまたはその逆方向に移行する。再生モードにおいては、画像データの再生動作、カメラの設定動作、画像データの送信動作が行われる。モードダイヤル１９が登録に設定された場合に、撮影モードと再生モードからユーザ登録処理に移行し、ユーザ登録のための交信動作と登録動作が行われ、動作終了後に元の撮影モードと再生モードに戻る。
【００３３】
図８はユーザ識別処理の動作を示す表であって、無線交信動作により検出されたユーザ数が０の場合はユーザをデフォルトユーザとし、検出されたユーザ数が１の場合はユーザを検出されたユーザとし、検出されたユーザ数が２以上の場合にはユーザを後述する自動選択処理により選択されたユーザとする。
【００３４】
図９は上記実施形態における電子カメラ１００（ＣＰＵ５０）の動作のメインフローチャートである。まずＳ１０により電源スイッチ１７を操作すると電源がＯＮとなり、Ｓ２０で電子カメラ１００のユーザを識別するために後述するユーザ識別処理のサブルーチンを実行する。Ｓ２０でユーザ識別処理が終了すると、Ｓ３０で撮影モードのサブルーチンを実行し撮影可能状態になる。撮影モード中にレリーズボタン１６を操作すると、Ｓ４０のレリーズ割込み処理サブルーチンが実行され、撮影動作が行われる。撮影モード中に撮影／再生ボタン２８を操作すると、Ｓ７０の撮影／再生割込み処理サブルーチンが実行され、Ｓ８０の再生モードサブルーチンが実行され、メモリカード１０４に格納されている画像データが左画面２１に再生表示される。逆に再生モード中に撮影／再生ボタン２８を操作すると、Ｓ７０の撮影／再生割込み処理サブルーチンが実行され、Ｓ３０の撮影モードサブルーチンが実行される。
【００３５】
再生モード中に送信ボタン２６を操作すると、Ｓ９０の送信割込み処理サブルーチンが実行され、再生モードで再生されている画像データが外部に送信される。また撮影モードまたは再生モードにおいて、設定ボタン２５を操作するとカメラを手動設定するためにＳ６０の設定割込み処理、イニシャライズボタン２９を操作するとカメラ設定をユーザに応じて初期化するためにＳ９５のイニシャライズ割込み処理、モードダイヤル１９を登録にセットするとユーザの新規登録のためにＳ５０の登録割込み処理が実行される。
【００３６】
図１０はユーザ識別処理サブルーチンの詳細なフローチャートであって、Ｓ２０でサブルーチンが起動すると、Ｓ２０１で前回ユーザを最新ユーザに設定する。Ｓ２０２でモードダイヤル１９が“自動”に設定されているかチェックし、“自動”に設定されていない場合は最新ユーザをユーザに設定し、カメラ設定を最新ユーザの設定にし、Ｓ２１０に進む。すなわちモードダイヤル１９が“固定”にセットされていた場合は、ユーザ識別を行わず、カメラを最後に使用したユーザをユーザとして設定して、カメラ設定が行われる。Ｓ２０２でモードダイヤル１９が“自動”であった場合には、Ｓ２０４に進み、ユーザ検出のために無線送信回路７１、無線受信回路７２を用いて外部との交信を試みる。このとき無線送信回路７１の出力信号レベルＧを最大（Ｇｍａｘ）にし、無線交信範囲を最大に拡大してユーザ検出を行う。
【００３７】
Ｓ２０５で検出されたユーザの中の登録ユーザ数が０であるかチェックし、０の場合はＳ２０６でユーザをデフォルトに設定し、カメラ設定もデフォルトユーザ用にセットし、最新ユーザをデフォルトに更新し、Ｓ２１０に進む。Ｓ２０５で登録ユーザ数が０でない場合は、Ｓ２０７で検出されたユーザの中の登録ユーザ数が１であるかチェックし、１の場合はＳ２０８でユーザを検出された登録ユーザに設定し、カメラ設定も検出された登録ユーザ用にセットし、最新ユーザを検出された登録ユーザに更新し、Ｓ２０９に進む。
【００３８】
Ｓ２０７で検出されたユーザの中の登録ユーザ数が１でない場合すなわち検出されたユーザの中の登録ユーザ数が２以上の場合は、後述するＳ２５のユーザ自動選択サブルーチンにより一人の登録ユーザを選択し、Ｓ２０９に進む。Ｓ２０９では決定された登録ユーザと再度交信を行い、個別ユーザ情報を読み込みＥＥＰＲＯＭ６８に保存する。
【００３９】
Ｓ２１０ではＥＥＰＲＯＭ６８に格納されている最新ユーザと前回ユーザが一致するか否かをチェックし、一致する場合にはそのままＳ２１１でリターンする。一致しない場合は後述するＳ２２の自動設定サブルーチンを実行し、カメラ設定を初期化し、Ｓ２１１でリターンする。
【００４０】
図１１はユーザ自動選択サブルーチンの詳細フローチャートであって、Ｓ２５で起動すると、Ｓ２５１でまず無線送信回路７１の出力信号レベルＧを最小（Ｇｍｉｎ）に初期化し、無線交信範囲を最小に縮小し、Ｓ２５２で登録されたユーザとの交信のために設定された出力信号レベルＧで無線交信を試みる。Ｓ２５３で登録されたユーザと交信が成立したかチェックし、交信が成立しない場合にはＳ２５４で無線送信回路７１の出力信号レベルＧをΔＧだけ増加させる。Ｓ２５５で無線送信回路７１の出力信号レベルＧが最大（Ｇｍａｘ）を超えるかチェックし、超えていない場合はＳ２５２に戻り、出力信号レベルを少しずつ増加させて登録ユーザとの交信を試みる。
【００４１】
Ｓ２５３で登録されたユーザとの交信が成立した場合には、Ｓ２５７で設定された出力信号レベルで交信成立した登録ユーザが複数であるかチェックし、複数でない場合にはＳ２５８でユーザを交信成立した登録ユーザとし、カメラ設定は交信成立した登録ユーザ用に設定し、最新ユーザを交信成立した登録ユーザに更新し、Ｓ２６１でリターンする。
【００４２】
Ｓ２５７で設定された出力信号レベルで交信成立した登録ユーザが複数である場合にはＳ２５９でユーザを交信成立した登録ユーザの中で一番優先順位の高い登録ユーザを選択し、Ｓ２６０でユーザを選択された登録ユーザとし、カメラ設定は選択された登録ユーザ用に設定し、最新ユーザを選択された登録ユーザに更新し、Ｓ２６１でリターンする。
【００４３】
Ｓ２５５で無線送信回路７１の出力信号レベルＧが最大（Ｇｍａｘ）を超える場合には、Ｓ２５６でユーザをデフォルトに設定し、カメラ設定もデフォルトユーザ用にセットし、最新ユーザをデフォルトに更新し、Ｓ２６１でリターンする。
【００４４】
上記のように図１１に示すユーザ自動選択サブルーチンでは徐々に無線交信範囲を拡大しながら登録ユーザを探索するので、距離的にカメラに一番近い登録ユーザ（カメラのユーザである可能性が高い）を自動的に選択することができるとともに、複数の登録ユーザと同時に交信成立した場合でも、予め定められた優先順位によってカメラを使用している確率の高いユーザを選択することができる。
【００４５】
図１２は自動設定処理サブルーチンの詳細フローチャートであって、Ｓ２２で起動すると、Ｓ２２１で図１３に示すように左画面２１に前回ユーザと最新ユーザを表示し、右画面２２に前回ユーザと最新ユーザが異なる旨を告知表示する。次にＳ９５のイニシャライズ割込み処理サブルーチンを実行し、Ｓ２２２でリターンする。
【００４６】
図１４はイニシャライズ割込み処理サブルーチンの詳細フローチャートであって、Ｓ９５で起動すると、Ｓ９５１でカメラ設定を最新ユーザのカスタム設定に初期化し、Ｓ９５２でリターンする。
図１５は撮影モードサブルーチンの詳細フローチャートであって、Ｓ３０で起動すると、Ｓ３０１の処理を繰り返す。Ｓ３０１ではユーザが設定したカメラ設定条件または初期化されたカメラ設定条件で順次ＣＣＤ５５により生成される画像データを図１６に示すように左画面２１に表示し、そのときのカメラ設定条件とユーザ名を右画面２２にテキスト表示する。
【００４７】
図１７はレリーズ割込み処理サブルーチンの詳細フローチャートであって、Ｓ４０で起動すると、Ｓ４０１で撮影モードであるかチェックし、撮影モードでない場合はＳ４０３でリターンする。撮影モードの場合は、Ｓ４０２でユーザに応じたカメラ設定条件で撮像操作を実行し、得られた画像データをメモリカード１０４に格納する。またその画像データを所定時間の間画面に表示して、Ｓ４０３でリターンする。
【００４８】
図１８は再生モードサブルーチンの詳細フローチャートであって、Ｓ８０で起動すると、Ｓ８０１の処理を繰り返す。Ｓ８０１では方向ボタン２３，２４の操作に応じてメモリカード１０４に格納された画像データを選択して読み出し、図１９に示すように左画面２１に再生表示するとともに、右画面２２に操作方法の説明とユーザ名を表示する。
【００４９】
図２０は送信割込み処理サブルーチンの詳細フローチャートであって、Ｓ９０で起動すると、Ｓ９０１で再生モードであるかチェックし、再生モードでない場合はＳ９０３でリターンする。再生モードの場合は、Ｓ９０２で現在左画面２１に再生表示されている画像データをメモリカード１０４から読み出し、該画像データをユーザに応じた送信先へ無線送信回路７１により無線送信し、Ｓ９０３でリターンする。
【００５０】
図２１は登録割込み処理サブルーチンの詳細フローチャートであって、Ｓ５０で起動すると、Ｓ５０１で図２２に示すように左画面２１に新規ユーザ登録と登録ユーザ選択の２つの選択項目を表示して、選択項目をユーザに選択させる。新規登録であった場合は、Ｓ５０２で出力信号レベルＧを最大（Ｇｍａｘ）にして無線送信回路７１と無線受信回路７２によりユーザ検出のための交信を試みる。Ｓ５０３で図２３に示すように検出したユーザ名と識別データを左画面２１に表示し、その中から登録するユーザを選択させる。Ｓ５０４では図２４に示すように左画面２１に登録済みのユーザを優先順位順に表示し、新規登録ユーザの優先順位を選択させる。
【００５１】
Ｓ５０５で選択されたユーザと優先順位のデータおよび選択されたユーザに関するデータ（識別データ、個人情報データ）をＥＥＰＲＯＭ６８に登録保存する。Ｓ６０では設定割込み処理サブルーチンを実行し、新規登録ユーザ用のカメラ設定等をセッティングし、Ｓ５０６ではセッティングされた内容を新規登録ユーザのカメラデータとしてセッティングされた設定データをＥＥＰＲＯＭ６８に登録保存するとともに、無線送信回路７１によりユーザの所持している携帯電話などの機器に送り返して保存させ、Ｓ５０９に進む。
【００５２】
Ｓ５０１で登録ユーザ選択が選択された場合は、Ｓ５０７で図２５に示すように左画面２１に登録済みのユーザ名を表示し、その中から所望する登録ユーザを選択させ、Ｓ５０８で現在のユーザを選択された登録ユーザに変更し、カメラ設定も選択された登録ユーザ用に変更し、最新ユーザも選択された登録ユーザに更新し、Ｓ５０９に進む。Ｓ５０９ではモードダイヤル１９が“登録”以外に変更されたかチェックを繰り返し、変更された場合にはＳ５１０でリターンする。
【００５３】
図２６は設定割込み処理サブルーチンの詳細フローチャートであって、Ｓ６０で起動すると、Ｓ６０１で図２７に示すように左画面２１に露出モードの選択項目を表示し、ユーザに選択させる。Ｓ６０２で図２８に示すように左画面２１にＡＦモード（自動焦点調節モード）の選択項目を表示し、ユーザに選択させる。Ｓ６０３で図２９に示すように左画面２１に画像データの記録モードの選択項目を表示し、ユーザに選択させる。Ｓ６０４で図３０に示すように左画面２１に画像データの表示モードの選択項目を表示し、ユーザに選択させる。Ｓ６０５で選択されたカメラ設定により現在のカメラ設定を更新し、Ｓ６０６でリターンする。
【００５４】
図３１は撮影／再生割込み処理サブルーチンの詳細フローチャートであって、Ｓ７０で起動すると、現在再生モードであるかチェックし、再生モードである場合はＳ７０２で再生モードを終了し、Ｓ３０の撮影モードサブルーチンに移行する。再生モードでない場合はＳ７０３で撮影モードを終了し、Ｓ８０の再生モードサブルーチンに移行する。
【００５５】
図３２はユーザ自動選択サブルーチンの別実施形態の詳細フローチャートであって、Ｓ２５で起動すると、Ｓ２７１で検出された登録ユーザと無線送信信号の出力レベルを一定にして交信し、ユーザ側機器よりユーザ側機器の受信信号の出力レベルデータを取得する。Ｓ２７２では受信信号の出力レベルデータが最も大きい登録ユーザを選択する。Ｓ２７３でユーザを選択された登録ユーザとし、カメラ設定は選択された登録ユーザ用に設定し、最新ユーザを選択された登録ユーザに更新し、Ｓ２７４でリターンする。
【００５６】
上記のように図３２に示すユーザ自動選択サブルーチンでは電子カメラ側が送信した信号をユーザ側で受信した場合の信号出力レベルを受信側で検出し、検出された受信信号出力レベルデータをカメラ側に送り返し、該受信信号出力レベルが最も大きい（距離的に最も近い）登録ユーザを選択する。
【００５７】
図３３はユーザ自動選択サブルーチンの別実施形態の詳細フローチャートであって、Ｓ２５で起動すると、Ｓ２８１で検出された登録ユーザと交信し、ユーザ側機器よりユーザ側機器の送信信号の出力レベルデータを取得する。Ｓ２８２ではユーザ側から送信された信号を受信し、受信信号の出力レベルを検出する。Ｓ２８３では受信信号の出力レベルと送信信号の出力レベルデータの比較により、受信信号の減衰率が最も小さい登録ユーザを選択する。Ｓ２８４でユーザを選択された登録ユーザとし、カメラ設定は選択された登録ユーザ用に設定し、最新ユーザを選択された登録ユーザに更新し、Ｓ２８５でリターンする。上記のように図３３に示すユーザ自動選択サブルーチンでは電子カメラ側が受信した信号の減衰率が最も小さい（距離的に最も近い）登録ユーザを選択する。
【００５８】
図３４はユーザ自動選択サブルーチンの別実施形態の詳細フローチャートであって、Ｓ２５で起動すると、Ｓ２９１で検出された登録ユーザの中から最終使用時刻が最も新しい登録ユーザを選択する。Ｓ２９２でユーザを選択された登録ユーザとし、カメラ設定は選択された登録ユーザ用に設定し、最新ユーザを選択された登録ユーザに更新し、Ｓ２８５でリターンする。
【００５９】
上記のように図３４に示すユーザ自動選択サブルーチンでは検出された登録ユーザの中から最終使用時刻が最も新しい登録ユーザ（現在のユーザである可能性が最も高い）を選択する。このようにユーザの利用履歴を用いることでユーザ識別能力を向上させることができる。
【００６０】
図３５は電子カメラ内の無線送信回路７１と無線受信回路７２の構成を示す説明図であって、無線送信回路７１と無線受信回路７２は電磁シールドフィルム７９によりカメラ前面（撮影光軸方向）と下面と上面と左右の側面を囲まれている。したがって無線送信回路７１と無線受信回路７２はカメラの背面方向に位置する確率が高いユーザ＝撮影者（図ではユーザＡ）の所持している携帯機器１８０Ａとの交信がし易く、撮影方向にいる被写体等（図ではユーザＢ）が所持している携帯機器１８０Ｂとは交信がし辛くなっている。図３６は無線送信回路７１と無線受信回路７２の交信の指向性を示した図であり、電子カメラ１００の背面方向に強い指向性を持ち、前面方向（光軸４０の方向）の指向性は弱い。
【００６１】
上記のように図３５に示す構成により無線送信回路７１と無線受信回路７２をカメラの背面方向に強い指向性を持たせることにより、撮影者をユーザとして検出できる確率を高めることができる。なお指向性の調整は電磁シールドフィルム以外に、アンテナの構成により調整することも可能である。
【００６２】
図３７はカメラとユーザの位置関係に応じてユーザを選択する場合の説明図であって、カメラ、ユーザＡ、ユーザＢが独自にＧＰＳ（Ｇｌｏｂａｌ  Ｐｏｓｉｔｉｏｎｉｎｇ  Ｓｙｓｔｅｍ）により位置データ（ｘ、ｙ、ｚ）を検出し、検出されたユーザＡの位置データ（ｘ１、ｙ１、ｚ１）とユーザＢの位置データ（ｘ２、ｙ２、ｚ３）をカメラに送ることにより、カメラは自分自身の位置データ（ｘ０、ｙ０、ｚ０）に基づき、カメラとユーザＡおよびユーザＢとの相対距離を演算し、相対距離の最も近いユーザを選択する。例えばカメラとユーザＡの相対距離は（ｘ１−ｘ０）、（ｙ１−ｙ０）、（ｚ１−ｚ０）の各自乗の和の平方根で求められる。
【００６３】
図３８はＧＰＳを用いたユーザ自動選択サブルーチンの実施形態の詳細フローチャートであって、Ｓ２５で起動すると、Ｓ３９１で検出された登録ユーザと交信し、ユーザの位置データを取得する。Ｓ３９２で自分自身の位置データを検出する。Ｓ３９３ではユーザの位置データとカメラの位置データに基づき、カメラと検出された登録ユーザとの間の相対距離を算出する。Ｓ３９４で相対距離が最も近い登録ユーザを選択する。Ｓ３９５でユーザを選択された登録ユーザとし、カメラ設定は選択された登録ユーザ用に設定し、最新ユーザを選択された登録ユーザに更新し、Ｓ３９６でリターンする。
【００６４】
上記のように図３８に示すユーザ自動選択サブルーチンではＧＰＳで検出した位置に基づいてカメラから最も近距離にいる登録ユーザを選択する。
図３９はユーザ自動選択サブルーチンの代わりにユーザを手動で選択するユーザ手動選択サブルーチンの詳細フローチャートであって、Ｓ３５で起動すると、Ｓ３５１で交信トライの結果として検出された登録ユーザを図４０に示すように左画面２１に表示し、ユーザに選択させる。Ｓ３５２でユーザを選択された登録ユーザとし、カメラ設定は選択された登録ユーザ用に設定し、最新ユーザを選択された登録ユーザに更新し、Ｓ３５３でリターンする。上記のように図３９に示すユーザ手動選択サブルーチンでは交信結果に基づいて手動で登録ユーザを選択するので、確実にユーザを選択することが可能になる。
【００６５】
図４１はユーザ識別処理を電源ＯＮ以外に、グリップ部１４に内蔵されたグリップセンサの出力により起動するグリップセンサ割込み処理サブルーチンの詳細フローチャートであって、グリップ部１４が握られていない状態から握られた状態に変化したことをグリップセンサが検知するとＳ４５のグリップセンサ割込み処理サブルーチンが起動し、Ｓ２０のユーザ識別処理サブルーチンを実行し、Ｓ４５１でリターンする。上記のように図４１に示すグリップセンサ割込みサブルーチンでは、電源ＯＮ中に撮影者が交代した場合でも確実にユーザを識別することが可能になる。
【００６６】
図４２はユーザ識別処理をタイマ割込みにより起動するタイマ割込み処理サブルーチンの詳細フローチャートであって、所定時間毎にＳ４６のタイマ割込み処理が起動し、Ｓ４６１でセルフタイマ撮影モード（レリーズ操作から所定の遅延時間後に撮像動作が行われるモードであって、不図示の操作部材によって設定される）またはリモコンモード（カメラのレリーズをリモコン操作によって行うモードであって、不図示の操作部材によって設定される）であるかチェックされ、セルフタイマ撮影モードまたはリモコンモードの場合はそのままユーザ識別を行わずにＳ４６２でリターンする。セルフタイマ撮影モードでもリモコンモードでもない場合はＳ２０のユーザ識別処理サブルーチンを実行し、Ｓ４６２でリターンする。
【００６７】
上記のように図４２に示すタイマ割込み割込みサブルーチンでは、所定時間毎にユーザ識別を行うので電源ＯＮ中に撮影者が交代した場合でも確実にユーザを識別することが可能になるとともに、撮影者がカメラ近傍にいない確率が高い動作モード（セルフタイマ撮影モードでまたはリモコンモード）ではユーザ識別を行わないようにしているので、ユーザ識別の確実性が向上する。
【００６８】
図４３はイニシャライズ割込み処理サブルーチンの別実施形態の詳細フローチャートであって、個人情報データに応じてカメラの動作設定を実行する。Ｓ９５で起動すると、Ｓ９６１で使用言語、表示文字サイズ、文章表現、動作モードをデフォルト（使用言語＝日本語、文字サイズ＝拡大サイズ、表現＝平易、動作モード＝フルオート）に設定する。Ｓ９６２で最新ユーザがデフォルトであるかチェックし、デフォルトの場合はＳ５７０でリターンする。デフォルトでない場合はＳ９６３で最新ユーザの使用言語が日本語であるかチェックし、日本語である場合はＳ９６５に進む。日本語でない場合はＳ９６４で使用言語を英語に設定し、Ｓ９６５に進む。Ｓ９６５では最新ユーザの視力が１．０以上あるかチェックし、１．０以上ない場合はＳ９６７に進む。１．０以上ある場合は文字サイズを通常サイズに設定し、Ｓ９６７に進む。Ｓ９６７で最新ユーザの年齢が１５以上６０以下であるかチェックし、最新ユーザの年齢が１５以上６０以下でない場合はＳ５７０でリターンする。最新ユーザの年齢が１５以上６０以下である場合には、Ｓ９６８で表現を通常に設定し、Ｓ９６９で動作モードをマニュアルに設定し、Ｓ５７０でリターンする。上記設定はリターン後のカメラ動作、表示動作に反映される。
【００６９】
上記のように図４３に示すイニシャライズ割込みサブルーチンでは個人情報データ（年齢、視力、言語）に応じて、カメラの動作モードを変更（初心者である可能性の高いユーザにはフルオートで簡単に使用でき、経験豊富なユーザに対してはマニュアル設定により応用的な使用が可能）したり、文字サイズを変更（視力の弱いユーザには大きな文字で表示）して見やすい表示を行ったり、表現を変更（老人と若年には専門用語を使わない平易な文章表現や図を用いてわかりやすくする）して間違いのない操作を行わせたり、言語を変更することにより確実なマンマシンインターフェースを提供したりしている。図４４は使用言語＝英語、文字サイズ＝拡大サイズ、表現＝平易の場合の撮影モード時の画面表示例であり、大きなサイズの英文字で、簡易な英語表現（専門用語なし）で、図を用いて表示を行うとともに、カメラ設定はフルオート（プログラム露出モード、ワンショットＡＦモード、ノーマル記録モード、カラーノーマル表示モード）になり、特別な設定は不要で初心者でも確実に撮影を行うことができる。
【００７０】
図４５はファインダ視度をユーザの視度データに応じて自動的に調節する場合の構成例であって、ケプラーファインダ（実像式ファインダ）が対物レンズ１１０、正立プリズム１１１、接眼レンズ１１２により構成され、ファインダ光軸１１５上に目１１３を置くことにより被写界を観察することができる。接眼レンズ１１２をファインダ光軸方向に移動することにより視度調節を行うことができる。接眼レンズ１１２はＣＰＵ５０により制御されるモータ１１４により移動される。
【００７１】
図４６はイニシャライズ割込み処理サブルーチンにより、図４５の構成を用いてユーザ毎に自動視度調節を行う場合の詳細フローチャートであって、Ｓ９５で起動すると、Ｓ９７１で視度をデフォルト値にセットし、Ｓ９７２で最新ユーザがデフォルトであるかチェックし、デフォルトである場合はＳ９７５に進む。デフォルトでない場合は、Ｓ９７３に進み、最新ユーザの視度データがあるかチェックし、ない場合にはＳ９７５に進む。視度データがある場合には、視度を最新ユーザの視度データに設定し、Ｓ９７５に進む。Ｓ９７５で設定された視度に応じてＣＰＵ５０はモータ１１４を駆動して接眼レンズ１１２の位置調整を行い、ユーザの視度に応じた視度調節を完了し、Ｓ９７６でリターンする。なお所定時間おきにユーザと交信してユーザの疲労度データを読み出し、該疲労度データに応じて視度を微調整したり、ユーザが電子カメラ１００の使用を開始してからの使用継続時間を計測し、該使用継続時間に応じて視度を微調整してもよい。
【００７２】
図４７は電子カメラとユーザが所持する機器の無線交信する場合の別実施形態の構成を示す図であって、電子カメラ１００のグリップ部１４をホールドしているユーザの体内（手２０１）の経路２０２を通る微弱な電流（電波）により送受信回路７５を経由してＣＰＵ５０とユーザが装着している腕時計型のユーザ情報を記憶した機器２００が交信する。グリップ部４５の表面には接触した手を通じて、電気信号を送受信する電気的コンタクト層が形成されている。該コンタクト層と送受信回路７５は接続されており、グリップ部１４をホールドした手を通じてユーザの所持している機器２００と交信する。機器２００もユーザの手２０１に対する電気的なコンタクト層をそなえており、該コンタクト層を通してデータを受信したり記憶しているデータを送信したりすることができる。
【００７３】
図４８は図４７の実施形態を利用したユーザ処理サブルーチンの詳細フローチャートであって、Ｓ２５で起動すると、Ｓ５５１でグリップセンサによりグリップ部１４がグリップされているかチェックし、グリップされていない場合は、Ｓ５５２でユーザを最新ユーザとし、カメラ設定は最新ユーザ用に設定し、最新ユーザはそのままとし、Ｓ５５７でリターンする。Ｓ５５１でグリップされている場合はＳ５５３で手２０１内の経路２０２を介した交信を試み、Ｓ５５４で交信が成立した場合にはＳ５５５でユーザを交信成立したユーザとし、カメラ設定は交信成立したユーザ用に設定し、最新ユーザは交信成立したユーザに更新し、Ｓ５５７でリターンする。Ｓ５５４で交信が成立しなかった場合はＳ５５６でユーザをデフォルトとし、カメラ設定はデフォルト用に設定し、最新ユーザはデフォルトに更新し、Ｓ５５７でリターンする。上記のように図４８に示すユーザ自動選択サブルーチンでは電子カメラ１００をホールドした手を通じてユーザの個人情報を記憶した機器と交信するので、確実に電子カメラ１００の操作者（ユーザ）を選択することが可能になる。
【００７４】
図４９は本発明を適用した電子カメラと該電子カメラを利用した電子画像通信システムの別の概念図である。図１の電子画像通信システムにおいては、電子カメラ１００とユーザの所持する携帯電話１８０が近距離無線通信を行うことにより、携帯電話１６０に装着されたＵＩＭカード１７０に記憶された個人情報データが電子カメラ１００に読み込まれるようになっているが、図４９の電子画像通信システムでは個人情報データを記憶した無線タグ（非接触ＩＣカード）が非接触無線読み込み部を内蔵した電子カメラ１００に近接すると、個人情報データが無線タグから電子カメラ１００に自動的に読み込まれる。電子カメラ１００は無線電話回線１９０による無線通信機能も備えており、撮像した画像データを外部のデータベース１４０等に送信することができる。上記のように図４９に示す電子画像通信システムにおいては、ユーザは電源不要な小型の無線タグ（非接触ＩＣカード）を保持しているだけで、電子カメラ１００の動作をカスタマイズすることができる。
【００７５】
上記実施形態（図１、図１０）においては、電子装置にユーザが接近するだけで無線により電子装置とユーザの所持している携帯機器の間で交信が行われ、電子装置側に個人情報が転送され、該個人情報に応じてユーザに最適な動作設定を電子装置が自動的に行うので、ユーザは特別な操作なしで自分用にカスタマイズされた電子装置をすぐに使用することができる。
【００７６】
上記実施形態（図１）においては、ユーザ識別を行う際に、近距離無線を用いているので、ユーザである確率の高い相手と交信できる確率を高めることができる。
上記実施形態（図９）においては、電源ＯＮの時に電子装置の本来の動作を始める前にユーザ識別を行い、識別したユーザに応じた電子装置の設定を行うので、ユーザが電子装置を使用する場合には必ずそのユーザにカスタマイズされた設定で使用することができる。
【００７７】
上記実施形態（図１０）においては、無線によりユーザ識別を行う際に、複数の相手と無線交信が成立した場合に、自動的にユーザである確率の高い相手をユーザとして選択することができるので、電子装置の周囲に無線交信可能な相手が複数いる場合の混乱を防止することができる。
【００７８】
上記実施形態（図１０）においては、無線によりユーザ識別を行う際に、複数の相手と無線交信が成立した場合に、予め登録されたユーザに絞ってユーザ識別することができるので、電子装置の周囲に無線交信可能な相手が複数いる場合の混乱を防止することができる。
【００７９】
上記実施形態（図１０）においては、無線によりユーザ識別を行う際に、相手と無線交信が成立しなかった場合に、予め定められたデフォルトユーザに設定するので、個人情報データを電子装置に転送できないユーザでも、電子装置をデフォルト設定で使用することができる。
【００８０】
上記実施形態（図１０）においては、モードダイヤル１９が“固定”にセットされている場合はユーザ識別を実行せず、最新ユーザの設定で電子装置を使用することができるので、電子装置の周囲に無線交信可能な相手が複数いる場合の混乱を防止することができる。
【００８１】
上記実施形態（図１１）においては、無線によりユーザ識別を行う際に、複数の相手と無線交信が成立した場合に、送信出力を小から大に徐々に変更しながら交信を試み、最初に交信が成立した相手をユーザとして選択するので、ユーザである確率の高い相手（電子装置に最も近い距離にいる相手）をユーザとして選択することができ、電子装置の周囲に無線交信可能な相手が複数いる場合の混乱を防止することができる。
【００８２】
上記実施形態（図１１）においては、無線によりユーザ識別を行う際に、複数の相手と無線交信が成立した場合に、予め定められた優先順位に基づいてユーザを選択するので、ユーザである確率の高い相手をユーザとして選択することができ、電子装置の周囲に無線交信可能な相手が複数いる場合の混乱を防止することができる。
【００８３】
上記実施形態（図１０、図１２、図１３）においては、ユーザ識別の結果、前回のユーザと今回のユーザが相違した場合にのみ前回のユーザと今回のユーザの名前を表示するので、同じユーザが使用を継続している場合には煩わしくないとともに、ユーザを誤識別した場合にはすぐに手動で対応（登録設定）を行うことができる。
【００８４】
上記実施形態（図１４）においては、電子装置をワンアクションでユーザ毎に予め定められたカスタム設定にイニシャライズすることができるので、撮影状況に応じてユーザの好みのカメラ設定を迅速に行うことができる。
上記実施形態（図１６など）においては、識別したユーザ名を画面に表示しつづけるので、万が一ユーザを誤識別した場合でも、すぐに手動で対応（登録設定）を行うことができる。
【００８５】
上記実施形態（図２１、図２３）においては、新規ユーザ登録の際、無線交信が成立した相手を画面に表示し、その中からユーザ自身により新規ユーザを選択させるので、確実に新規ユーザを特定することができる。
上記実施形態（図２１、図２５）においては、カメラが自動的に識別したユーザを手動で変更することができるので、カメラがユーザを誤識別した場合にもすぐに手動で対応することができる。
【００８６】
上記実施形態（図３２）においては、無線によりユーザ識別を行う際に、複数の相手と無線交信が成立した場合に、相手側の受信信号レベルが最も大きい交信相手をユーザとして選択するので、ユーザである確率の高い相手（電子装置に最も近い距離にいる相手）をユーザとして選択することができ、電子装置の周囲に無線交信可能な相手が複数いる場合の混乱を防止することができる。
【００８７】
上記実施形態（図３３）においては、無線によりユーザ識別を行う際に、複数の相手と無線交信が成立した場合に、相手側の送信信号の減衰率が最も小さい交信相手をユーザとして選択するので、ユーザである確率の高い相手（電子装置に最も近い距離にいる相手）をユーザとして選択することができ、電子装置の周囲に無線交信可能な相手が複数いる場合の混乱を防止することができる。
【００８８】
上記実施形態（図３４）においては、無線によりユーザ識別を行う際に、複数の相手と無線交信が成立した場合に、電子装置をより最近に使用した相手をユーザとして選択するので、ユーザである確率の高い相手をユーザとして選択することができ、電子装置の周囲に無線交信可能な相手が複数いる場合の混乱を防止することができる。
【００８９】
上記実施形態（図３５、図３６）においては、電磁シールドシートなどにより電子装置の無線通信の指向性を電子装置本体に対して使用者が存在する確率の高い方向に制限しているので、無線交信によりユーザ識別を行う場合に、真のユーザと無線交信が成立する確率を高めることができるとともに、真のユーザ以外と無線交信が成立する確率を低下させることができ、電子装置の周囲に無線交信可能な相手が複数いる場合の混乱を防止することができる。
【００９０】
上記実施形態（図３７、図３８）においては、無線によりユーザ識別を行う際に、複数の相手と無線交信が成立した場合に、電子装置と交信相手との相対距離が最も近い相手をユーザとして選択するので、ユーザである確率の高い相手をユーザとして選択することができ、電子装置の周囲に無線交信可能な相手が複数いる場合の混乱を防止することができる。
【００９１】
上記実施形態（図３９、図４０）においては、無線によりユーザ識別を行う際に、複数の相手と無線交信が成立した場合に、交信成立した相手を画面表示するとともに、ユーザ自身によりその中から真のユーザを選択させるようにしたので、間違いなく確実にユーザを特定でき、電子装置の周囲に無線交信可能な相手が複数いる場合の混乱を防止することができる。
【００９２】
上記実施形態（図４１）においては、電子装置をユーザが保持したことを検知してユーザ識別を実行するので、確実に電子装置のユーザが存在する場合にのみユーザ識別を実行でき、電子装置の周囲に真のユーザが存在しない場合に真のユーザでない相手と無線交信が成立し、その相手をユーザとして認定してしまことを防止することができる。
【００９３】
上記実施形態（図４２）においては、所定時間毎にユーザ識別を実行するので、電源ＯＮ中に電子装置のユーザが交代した場合においても自動的にユーザ交代を確実に検出でき、電子装置を新しいユーザ用にセッティングすることができる。
【００９４】
上記実施形態（図４２）においては、電子装置の近傍に真のユーザがいない確率の高い動作モードにおいては、近距離無線によるユーザ識別を行わないので、真のユーザ以外を間違ってユーザとして認定してしまう可能性を少なくすることができる。
【００９５】
上記実施形態（図４３、図４４）においては、ユーザに関する一般的な個人情報（電子装置とは直接的な関係がない情報）に基づいてユーザの電子装置に関する習熟度を間接的に類推して、該習熟度に応じて電子装置の動作設定および表示設定を行うので、電子装置には不慣れな老人、未成年には簡単でわかりやすい操作で電子装置を使うことができるとともに、電子装置に馴染んでいる世代の人たちにはマニュアル設定などの高度な使い方ができる。
【００９６】
上記実施形態（図４５、図４６）においては、ユーザの視力に関する情報に基づいて、ファインダの視度調整を行うので、複数の人が共用で使用しているカメラを使用する度にマニュアルでファインダの視度調整を行う必要がなく、迅速に撮影動作を開始でき、シャッターチャンスを逃すことを防止できる。
【００９７】
上記実施形態（図４７、図４８）においては、電子装置を保持しているユーザの手を通じてユーザの装着している機器と電子装置が交信を行うので、ユーザを確実に特定することができる。また電子機器は利用者の体内に埋め込んでおいてもよい。
【００９８】
上記実施形態（図４９）においては、電子装置が非接触ＩＣカード（無線タグ）の読み取り回路を備え、個人情報を非接触ＩＣカード（無線タグ）より非接触で読み取るようにしているので、ユーザは軽量で小型で電源不要な非接触ＩＣカードを所持しているのみで一切の操作を必要としないで、ユーザの個人情報が電子装置に送られ、電子装置をユーザの好みの設定で使うことができる。
（変形形態の説明）本発明は以上説明した実施形態に限定されることなく、種々の変形や変更が可能である。
【００９９】
上記実施形態（図９）においてはユーザ識別の際に電子装置（電子カメラ）側からユーザの所持する電子機器（携帯電話、無線タグ）に交信トライを行っているが、ユーザ側の電子機器に交信トライを実行する操作部材を設け、該操作部材をユーザが操作した場合のみ、該電子機器の周囲にある電子装置が応答してユーザの個人情報が電子装置側に送られるようにしてもよい。
【０１００】
図５０はユーザが所持する電子機器側からユーザが利用しようとする電子装置に対し無線交信を開始する場合の電子機器と電子装置で行われる交信のやりとりのシーケンスを説明する図である。電子機器は、図５２に示すような携帯電話１６０であり、ＵＩＭカード等の装着によって該携帯電話１６０を所持しているユーザの個人情報が記憶保存されている。携帯電話１６０は表示画面１６１と操作ボタン１６２を備えている。図５１に示すように、電子機器の周りには電子カメラＡ、電子カメラＢ、プリンタＡ、スキャナＡが存在しており、電子機器（携帯電話１６０）を所持するユーザが電子装置（電子カメラＡ）を利用しようとする場合、まず携帯電話１６０の操作ボタン１６２を操作すると携帯電話１６０は交信モードとなり、図５３に示すように利用する電子装置のジャンルを表示画面１６１に表示し、ユーザに不図示の選択部材により利用しようとする電子装置のジャンルを選択させる。図５３は利用しようとする電子装置のジャンルとして電子カメラを選択した場合の表示例である。
【０１０１】
電子機器はユーザが利用しようとする電子装置のジャンルが選択されると、▲１▼の利用状況情報要求の交信で電子機器の近傍に存在する電子装置に対し、電子機器の識別情報と選択されたジャンルの情報とユーザの識別情報を送信する。電子機器から▲１▼の利用状況情報要求を受けた電子装置はジャンル情報に基づき、該ジャンル情報が意味するジャンルにその電子装置が属さない場合は何の応答も行わないとともに、該ジャンル情報が意味するジャンルにその電子装置が属する属する場合には、該電子装置の現在の利用状況（前記ユーザ情報のユーザが利用可能／不能）を確認し、確認した利用状況情報に送信元の電子装置の識別情報とあて先の電子機器情報を添付して▲２▼の交信を行う。
【０１０２】
電子装置より▲２▼の利用状況情報を受けた電子機器情報に対応した電子機器は、該利用状況を図５４に示すように利用可能な電子装置を表示画面１６１に表示し、例えば電子機器と電子装置の間の距離の相違に基づいて電子機器が自動的に電子装置を選択する。あるいはユーザに不図示の選択部材により利用しようとする電子装置のジャンルを選択させてもよい。図５４は利用しようとする電子装置として電子カメラＡを選択した場合の表示例である。
【０１０３】
電子機器側で利用する電子装置が選択されると、電子機は▲３▼の交信で選択した電子装置の識別情報と送信元の電子機器の識別情報とユーザの個人情報を送信し、選択された電子装置に対し利用要求を行う。▲３▼の利用要求を受けた電子機器により選択された電子装置は、ユーザの個人情報に基づき、該電子装置のカスタマイズ設定を行うとともに、▲４▼の交信で利用状況を送ってきた電子機器に対し、送信元の電子装置の識別情報とあて先の電子機器の識別情報を添付し確認通知を行う。▲４▼の確認通知を受けた確認通知の送信先の電子機器は、図５５に示すように選択された電子装置が利用可能になった旨を表示画面１６１に表示し、ユーザに報知する。これ以降ユーザは自分用にカスタマイズされた設定で電子装置を使用することが可能になる。
【０１０４】
このようにすれば電子装置は交信トライをして来た電子機器がユーザの保持している電子機器であることを確実に認知できるので、ユーザの誤識別を防止することができるとともに、任意のタイミングで電子装置にユーザ識別を実行させることができるので、電子装置のユーザが交代した場合などに有効である。
【０１０５】
ユーザ側の電子機器は電子装置側から受信した電子装置の利用情報（例えば現在他の人が利用中であるとか、特定ユーザのみ使用可能であるとかいうような情報）を受け取り、該電子装置がユーザにより利用可能か判断する。ユーザ側の電子機器が自分の周囲にユーザが利用可能な電子装置が単数存在すると判断した場合には、該電子装置をユーザの利用対象として選択し、該電子装置に対し該電子装置を使用する旨やユーザの個人情報を送信する。前記電子機器より使用する旨や個人情報を受け取った電子装置は、該電子機器を所持しているユーザを該電子装置のユーザとして識別し、ユーザの個人情報に基づいて該電子装置をユーザ用にカスタマイズ設定する。
【０１０６】
ユーザ側の電子機器は自分の周囲にユーザが利用可能な複数の電子装置が存在すると判断した場合には、上記実施形態と同様な方法（距離的に近い、優先順位、手動選択等）でユーザの使用対象である確率の高い電子装置を自動的に選択し、該選択された電子装置に該電子装置を使用する旨やユーザの個人情報を送信する。前記電子機器より使用する旨や個人情報を受け取った電子装置は、該電子機器を所持しているユーザを該電子装置のユーザとして識別し、ユーザの個人情報に基づいて該電子装置をユーザ用にカスタマイズ設定する。
【０１０７】
またユーザ側の電子機器は自分の周囲にユーザが利用可能な複数の電子装置が存在すると判断した場合に、該複数の電子装置に対し該電子装置を使用する旨やユーザの個人情報を送信する。前記電子機器より使用する旨や個人情報を受け取った複数の電子装置は、該電子機器を所持しているユーザを該電子装置のユーザとして識別し、ユーザの個人情報に基づいて該複数の電子装置を同時にユーザ用にカスタマイズ設定することもできる。このようにすれば複数の電子装置を同時に使用する場合に、電子装置毎に利用者識別を行う手間を省くことができる。
【０１０８】
またユーザ側の電子機器は自分の周囲あるユーザが利用可能な電子装置の数を確認することなく、いきなり自分の周囲ある電子装置に対し、該電子装置を使用する旨やユーザの個人情報を送信し、前記電子機器より使用する旨や個人情報を受け取った電子装置は、該電子機器を所持しているユーザを該電子装置のユーザとして識別し、ユーザの個人情報に基づいて該複数または単数の電子装置をユーザ用にカスタマイズ設定することもできる。このようにすれば、ユーザは特定の電子装置を選択して利用することはできないが、電子装置がユーザにとって利用可能か否かの判定するステップを省略できるので、緊急に電子装置をユーザ用にカスタマイズして使いたい場合には有効である。
【０１０９】
またユーザ側の電子機器が自動的に選択した電子装置は、電子機器の表示部に表示して、ユーザに確認させるようにしてもよい。またユーザ側の電子機器において、交信結果に基づきユーザの使用対象候補となる電子装置のリストを表示し、ユーザに使用対象となる電子装置を選択させるようにしてもよい。
【０１１０】
上記実施形態（図９）においては無線（電波）により電子装置とユーザの所持する電子機器が交信を行うことでユーザ識別を行っているが、真のユーザ以外の人が所持している電子機器とむやみに交信を成立させないために、平均的な受信性能を電子機器が備えていることを想定し、無線送信信号の出力レベルを所定値以内に限定して交信可能な距離範囲を制限しておくのが望ましい。電子装置の使われ方や電子装置と電子機器との間の電波遮蔽物の有無や電子機器の受信機の性能などを考慮して前記距離範囲は決定されるが、通常は１０ｍ程度以内がよく、主としてユーザが携帯して使用する電子装置においては２ｍ以内がよく、望ましくは１ｍ以内がよい。
【０１１１】
上記実施形態（図９）においては無線（電波）により電子装置とユーザの所持する電子機器が交信を行うことでユーザ識別を行っているが、これ以外の方法で非接触方式または接触方式でユーザ識別を行ってもいい。またユーザの身体的特徴を利用した接触式のユーザ識別方法（例えば指紋検出）や非接触方式のユーザ識別方法（例えば虹彩パターン検出、網膜パターン検出、顔画像検出、声紋検出）と上記電波による無線方式のユーザ検出方式と組み合わせれば、より確実にユーザの識別が可能になる。このような組み合わせ方式では、電子装置が検出したユーザの身体的特徴に基づき、無線方式で電子装置の周囲に存在する電子機器から読み出した身体的特徴が前記検出した身体的特徴に一致した交信相手をユーザとして識別することができる。
【０１１２】
上記実施形態（図９）においては無線により電子装置とユーザの所持する電子機器が交信を行うことでユーザ識別を行い、ユーザは電子装置に自分が識別されたことを電子装置の画面に表示されるユーザ名を見て確認しているが、電子装置で識別したユーザの所持している電子機器に電子装置から該電子装置の情報を送信し、ユーザが所持している機器がその情報を受け取った場合には、ユーザ側の電子機器においてユーザがどの電子装置に識別されたのかを表示してもいい。また電子機器は発音手段を用いて電子装置に認知された旨をユーザに通知してもよい。この場合電子装置の種類に応じて発音パターンを変更することにより、表示を確認することなくユーザが認知された電子装置の種類をユーザに伝達することができる。
【０１１３】
このようにすれば、電子装置が表示手段を備えていない場合でも、ユーザは自分が正しく電子装置に識別されたか確認できる。また音による通知を行うことにより電子機器が表示手段を備えていない場合でも、ユーザは自分が正しく電子装置に識別されたか確認できるとともに、電子機器をユーザの衣服のポケットの中などに入れたままでユーザは自分が正しく電子装置に識別されたか確認できる。
【０１１４】
上記実施形態（図１１）においては無線により電子装置とユーザの所持する電子機器が交信を行い、複数のユーザが検出された場合には、電子装置は送信出力を徐々に増大させながら電子機器と交信を試み、最初に交信が成立し電子装置を利用可能なユーザをユーザとして選択しているが、電子装置は第１段階から送信出力を徐々に増大させながら電子機器と交信を試み、最初に交信が成立し電子装置を利用可能なユーザをユーザとして選択するようにしてもよい。
【０１１５】
上記実施形態（図４１）においては、電子装置をユーザがホールドしたタイミングでユーザ識別を実行しているが、これ以外の方法やタイミングでユーザ識別を行ってもよい。例えば電子装置の各操作部材を操作したタイミング（例えば電子カメラ１００のレリーズボタン１６を半押ししたタイミング）でユーザ識別を行ってもよい。このようにすれば電子装置のユーザが電子装置の周囲に存在することが確実なタイミングでユーザ識別を行うことができるので、ユーザ識別を確実に行うことができるとともに、グリップセンサーなどの特別な検出センサが不必要となる。またファインダ１１の接眼部付近に発光素子、受光素子をペアで配置し、接眼部にユーザが目や顔を接近させた場合の反射光量の増加を検出し、そのタイミングでユーザ識別を行うようにしてもよい。またメモリカード１０４の脱着のタイミングでユーザ識別を行うようにしてもよい。また電子カメラにおいては撮影レンズの交換、ズーム操作、フォーカス操作、外付けストロボの脱着のタイミングでユーザ識別を行うようにしてもよい。
【０１１６】
上記実施形態（図４２）においては、電子装置がリモコンモードの場合はユーザ識別を行っていないが、ユーザ識別機能をリモコン装置が備えるようにしてもよい。このようにすればリモコンモードでもユーザ識別が可能になるとともに、ひとつのリモコン装置で複数の電子装置を制御する場合には個々の電子装置でのユーザ識別が不要になる。
【０１１７】
上記実施形態（図４３）においては、電子装置が識別したユーザの個人情報に応じて、カメラ設定動作と表示動作をカスタマイズしているが、これ以外の処理を取得した個人情報に応じて行ってもよい。
例えばユーザの利き手情報（左利き、右利き）に応じて操作部材の機能を変更（図２においてレリーズボタン１６と電源ボタン１７の機能を入れ替える）してもよい。また年齢や性別に応じてレリーズボタン１６の力量（反発力）を調整してもよい。またユーザが色盲などの視力障害がある場合には画面上で色相の違いで表示している部分をコントラストの相違で表示するように変更してもよい。
【０１１８】
上記実施形態（図９）においては、電子カメラ１００は撮影者（ユーザ）の所持する電子機器と交信を行い、電子カメラ１００の撮影者を識別しているが、電子カメラ１００の被写体となる人物の所持する電子機器と交信を行い、電子カメラの被写体人物の個人情報に応じて電子カメラ１００の動作設定を行ってもよい。
【０１１９】
例えばまず電子カメラ１００が周囲の電子機器と無線交信し、交信が成立した電子機器の中から撮影者の所持している電子機器と思われる電子機器を除外する。撮影者の電子機器は予め電子カメラ１００に登録されているか又は電子カメラ１００に最も近い距離にある電子機器が撮影者の所持している電子機器と認識される。次に電子カメラ１００は撮影レンズの焦点距離情報あるいは撮影レンズの撮影距離情報を利用して、電子カメラ１００の撮影対象が存在する距離範囲を設定し、電子カメラ１００と電子機器との間の距離に関する情報（信号レベル、位置情報等）を用い、無線交信が成立した電子機器の中から電子カメラ１００の撮影対象が存在する距離範囲にある電子カメラ１００の利用者（被写体）の所持している電子機器を選択する。このとき更に電子カメラ１００に内蔵された方位検出手段により検出した方位情報と撮影レンズの焦点距離情報に基づいて、電子カメラ１００の撮影方向と撮影画角を決定するとともに、電子カメラ１００と電子機器の測位情報（位置情報）に基づき電子カメラ１００に対する電子機器の相対的な位置情報（方向）を算出し、前記撮影方向の撮影画角内に存在する電子機器を選択するようにしてもよい。
【０１２０】
電子カメラ１００は上記のようにして撮影者以外の被写体となっている人が所持している電子機器を選択し、該電子機器と選択的に無線交信を行うことにより被写体となる人物の瞳の色のデータを取得し、その人物を撮影した画像データに赤目現象が生じた場合には、取得した瞳色データを用いて、画像データの赤目部分を修復するようにしてもよい。
【０１２１】
また個人情報のなかに赤目現象が出易いか否かのデータを入れておき、電子カメラ１００は被写体となる人物から取得した個人情報に基づき、ユーザが赤目現象の出易い人である場合には、ストロボ撮影時の撮影モードを自動的に赤目軽減モード（撮影に先立ってストロボを少量発光させ、被写体となる人物の瞳孔を縮小させることにより、赤目現象を軽減させるモード）に電子カメラを設定するようにしてもよい。また上記個人情報のなか含まれる赤目現象が出易いか否かのデータは直接的なデータではなく、一般的な個人情報である年齢情報や視力情報から類推した関節的なものであってもより。例えば統計的に幼児や近視者は瞳孔が大きく赤目減少が出やすいので、カメラを強制的に赤目軽減モードにする。また瞳孔を収縮されるための手段としては、ストロボ発光以外に所定時間連続的な照明が可能なランプや高輝度ＬＥＤを撮影前に連続点灯するようにしてもよい。
【０１２２】
【発明の効果】
以上説明したように、本発明による利用者識別機能を備える電子装置および利用者識別方法においては、無線により利用者識別を行うことにより、利用者に多大な負担をかけずに迅速に利用者識別が行えるとともに、無線により複数の利用者候補を検出した場合でも、真の利用者である確率の高い利用者を自動的に選択するので、利用者は手間をかけずにすぐその電子装置を使うことができる。
【０１２３】
また本発明による利用者識別機能を備える電子装置および利用者識別方法においては、電子装置が利用者から取得した直接電子装置の設定とは無関係な一般的個人情報に応じて電子装置の設定・表示等の調整を自動的に利用者に最適化して行うことにより、ベテランユーザも初心者、老人、未成年者も電子装置を快適に使用できる環境を提供することができる。
【図面の簡単な説明】
【図１】本発明の実施形態のシステム構成を示す概念図である。
【図２】本発明による電子カメラの外観図（正面視）である。
【図３】本発明による電子カメラの外観図（背面視）である。
【図４】本発明による電子カメラの電気構成を示すブロック図である。
【図５】ユーザ登録情報の構成図である。
【図６】個人情報データの構成図である。
【図７】本発明による電子カメラの状態遷移図である。
【図８】ユーザ識別の動作対応表である。
【図９】ＣＰＵのメインフローチャートである。
【図１０】サブルーチンのフローチャートである。
【図１１】サブルーチンのフローチャートである。
【図１２】サブルーチンのフローチャートである。
【図１３】画面の表示例である。
【図１４】サブルーチンのフローチャートである。
【図１５】サブルーチンのフローチャートである。
【図１６】画面の表示例である。
【図１７】サブルーチンのフローチャートである。
【図１８】サブルーチンのフローチャートである。
【図１９】画面の表示例である。
【図２０】サブルーチンのフローチャートである。
【図２１】サブルーチンのフローチャートである。
【図２２】画面の表示例である。
【図２３】画面の表示例である。
【図２４】画面の表示例である。
【図２５】画面の表示例である。
【図２６】サブルーチンのフローチャートである。
【図２７】画面の表示例である。
【図２８】画面の表示例である。
【図２９】画面の表示例である。
【図３０】画面の表示例である。
【図３１】サブルーチンのフローチャートである。
【図３２】サブルーチンのフローチャートである。
【図３３】サブルーチンのフローチャートである。
【図３４】サブルーチンのフローチャートである。
【図３５】無線回路の構成の説明図である。
【図３６】交信指向性の説明図である。
【図３７】位置検出の説明図である。
【図３８】サブルーチンのフローチャートである。
【図３９】サブルーチンのフローチャートである。
【図４０】画面の表示例である。
【図４１】サブルーチンのフローチャートである。
【図４２】サブルーチンのフローチャートである。
【図４３】サブルーチンのフローチャートである。
【図４４】画面の表示例である。
【図４５】視度調整の説明図である。
【図４６】サブルーチンのフローチャートである。
【図４７】体内経路による交信の説明図である。
【図４８】サブルーチンのフローチャートである。
【図４９】本発明の別実施形態のシステム構成を示す概念図である。
【図５０】本発明の別実施形態の交信シーケンスの説明図である。
【図５１】交信形態の説明図である。
【図５２】携帯電話の外観図である。
【図５３】画面の表示例である。
【図５４】画面の表示例である。
【図５５】画面の表示例である。
【符号の説明】
１０  撮影レンズ
１４  グリップ部
１６  レリーズボタン
１７  電源スイッチ
１９  モードダイヤル
２１  左ＬＣＤ（左画面）
２２  右ＬＣＤ（右画面）
２３  上方向ボタン
２４  下方向ボタン
２５  設定ボタン
２６  送信ボタン
２７  決定ボタン
２８  撮影／再生ボタン
５０  ＣＰＵ
５１  データ／制御バス
５５  ＣＣＤ
６０  撮影制御回路
６３  電源
６８  ＥＥＰＲＯＭ
７１  無線送信回路
７２  無線受信回路
１００  電子カメラ
１０４  メモリカード
１６０  携帯電話
１７０  ＵＩＭカード
１８０  無線タグ
【図１】
0004114348.tif 000002
【図２】
0004114348.tif 000003
【図３】
0004114348.tif 000004
【図４】
0004114348.tif 000005
【図５】
0004114348.tif 000006
【図６】
0004114348.tif 000007
【図７】
0004114348.tif 000008
【図８】
0004114348.tif 000009
【図９】
0004114348.tif 000010
【図１０】
0004114348.tif 000011
【図１１】
0004114348.tif 000012
【図１２】
0004114348.tif 000013
【図１３】
0004114348.tif 000014
【図１４】
0004114348.tif 000015
【図１５】
0004114348.tif 000016
【図１６】
0004114348.tif 000017
【図１７】
0004114348.tif 000018
【図１８】
0004114348.tif 000019
【図１９】
0004114348.tif 000020
【図２０】
0004114348.tif 000021
【図２１】
0004114348.tif 000022
【図２２】
0004114348.tif 000023
【図２３】
0004114348.tif 000024
【図２４】
0004114348.tif 000025
【図２５】
0004114348.tif 000026
【図２６】
0004114348.tif 000027
【図２７】
0004114348.tif 000028
【図２８】
0004114348.tif 000029
【図２９】
0004114348.tif 000030
【図３０】
0004114348.tif 000031
【図３１】
0004114348.tif 000032
【図３２】
0004114348.tif 000033
【図３３】
0004114348.tif 000034
【図３４】
0004114348.tif 000035
【図３５】
0004114348.tif 000036
【図３６】
0004114348.tif 000037
【図３７】
0004114348.tif 000038
【図３８】
0004114348.tif 000039
【図３９】
0004114348.tif 000040
【図４０】
0004114348.tif 000041
【図４１】
0004114348.tif 000042
【図４２】
0004114348.tif 000043
【図４３】
0004114348.tif 000044
【図４４】
0004114348.tif 000045
【図４５】
0004114348.tif 000046
【図４６】
0004114348.tif 000047
【図４７】
0004114348.tif 000048
【図４８】
0004114348.tif 000049
【図４９】
0004114348.tif 000050
【図５０】
0004114348.tif 000051
【図５１】
0004114348.tif 000052
【図５２】
0004114348.tif 000053
【図５３】
0004114348.tif 000054
【図５４】
0004114348.tif 000055
【図５５】
0004114348.tif 000056